(57)【要約】【課題】温度と共に湿度も高められるようにして心地よい発汗作用を促すことができ、これにより痩身効果、リフレッシュ効果、更には遠赤効果、ホリミス効果など健康増進・元気回復に役立たせるに満足できる効果が得られるようにした温石浴装置を提供する。【解決手段】ほぼ密閉状に塞ぐことができる温石浴装置本体Ａ１内にラジウム鉱石を使った石類８を敷設して成形される載せ石層１５と、該載せ石層１５の途中高さ位置まで浸漬するように貯留される貯留水Ｗと、該貯留水Ｗを加熱する加熱手段１３，１４とを備え、該加熱手段１３，１４により前記温石浴装置本体Ａ１内の温度と共に湿度を高めるようにした構成からなる。【選択図】図４
2006122480.tif 000002
【特許請求の範囲】
【請求項１】
ほぼ密閉状に塞ぐことができる温石浴装置本体内にラジウム鉱石を使った石類を敷設して成形される載せ石層と、前記載せ石層の途中高さ位置まで浸漬するように貯留される貯留水と、前記貯留水を加熱する加熱手段とを備え、前記加熱手段により前記温石浴装置本体内の温度と共に湿度を高めるようにした温石浴装置。
【請求項２】
前記加熱手段により前記温石浴装置本体内の温度が３５度〜５０度、湿度が８０％以上になるように設定される請求項１記載の温石浴装置。
【請求項３】
前記加熱手段は、前記貯留水内に配置され液体が還流する密閉型の放熱管と、前記放熱管内を還流する液体を加熱するヒータとからなる請求項１又は２記載の温石浴装置。
【発明の詳細な説明】
【技術分野】
【０００１】
本発明は、温度と共に湿度も高めるようにして十分な発汗作用を促し、痩身効果やリフレッシュ効果、更には遠赤効果、ラドン効果などの温石浴効果が得られる温石浴装置に関するものである。
【背景技術】
【０００２】
従来、この種の装置として、例えば次のようなサウナ装置がある。すなわち、このサウナ装置は、装置本体の底部に過熱管とガス吹込管とを配設すると共に、これら過熱管とガス吹込管を食塩と砂若しくは温浴効果を有する鉱石の粉砕物からなる温浴剤で埋設してなる。そして、カバー部材を閉止した状態で過熱管により温浴剤を加熱し、ガス吹込管で得た乾燥熱風を装置本体内に供給し、装置本体内を４０度〜６０度となるように設定してその装置本体内に温浴剤成分を充満させるようにした構成からなる（例えば、特許文献１参照。）。
【特許文献１】特開平８−７０５号公報（第２−４頁、図２）
【発明の開示】
【発明が解決しようとする課題】
【０００３】
しかしながら、前記特許文献１によるサウナ装置は、装置本体内の温浴剤を過熱すると共にその装置本体内に乾燥熱風を供給し、乾熱状態で入浴することによって身体の発汗を促し、疲労回復、健康増進を図ろうとするものであるが、高い湿度を保持していない。このように、高い湿度を保持していないと、装置本体内の温度が４０度〜６０度と比較的低いこともあって心地よい発汗作用が十分に得られず、痩身やリフレッシュなど健康増進に役立たせるに満足できる効果が得られない。
【０００４】
そこで、本発明は上記課題を解決すべくなされたもので、温石浴装置本体内の温度と共に湿度も高められるようにして心地よい発汗作用を促すことができ、これにより痩身効果、リフレッシュ効果、更には遠赤効果、ホリミス効果など健康増進・元気回復に役立たせるに満足できる効果が得られるようにした温石浴装置を提供することを目的とするものである。
【課題を解決するための手段】
【０００５】
かかる目的を達成するため本発明に係る温石浴装置は、ほぼ密閉状に塞ぐことができる温石浴装置本体内にラジウム鉱石を使った石類を敷設して成形される載せ石層と、該載せ石層の途中高さ位置まで浸漬するように貯留される貯留水と、該貯留水を加熱する加熱手段とを備え、該加熱手段により前記温石浴装置本体内の温度と共に湿度を高めるようにした構成からなる。
【０００６】
前記加熱手段により前記温石浴装置本体内の温度は３５度〜５０度、湿度は８０％以上になるように設定されることが好ましい。
【０００７】
また、前記加熱手段は、前記貯留水内に配置され液体が還流する密閉型の放熱管と、前記放熱管内を還流する液体を加熱するヒータと、からなることが好ましい。
【０００８】
更に、前記温石浴装置にあっては、例えば、温石浴装置本体内に通水性を有すると共に上面が開放する複数の皿枠を隙間なく敷設して各皿枠内にラジウム鉱石を粉砕して成形される砂利を充填するようにし、砂利を充填した皿枠は手で持ち上げることができる重量となるようにすることが好ましい。
【発明の効果】
【０００９】
本発明に係る温石浴装置は、載せ石層の途中高さ位置まで浸漬するようにして水を貯留し、貯留水と共に石類の温度を所定の温度に上昇させて温石浴装置本体内の温度と湿度を高めるようにしたので、所定の温度と共に十分な湿度も保持され、心地よい発汗作用を促すことができる。これにより、痩身効果、リフレッシュ効果、更には遠赤効果、ホリミス効果など健康増進・元気回復に役立たせるに満足できる効果が得られる。
【００１０】
また、前記加熱手段により前記温石浴装置本体内の温度が３５度〜５０度、湿度が８０％以上になるように設定すれば、温度が低温であることから入浴者の身体に対する負担が軽く悪い影響を受け難い。
【００１１】
更に、前記加熱手段が、前記貯留水内に配置され液体が還流する密閉型の放熱管と該放熱管内を還流する液体を加熱するヒータとからなれば、貯留水を温める際の温度コントロールが容易に行なえるばかりか、貯留水の交換も容易に行なえる。しかも、同時に温石浴装置本体内に殺菌灯や光触媒装置等の殺菌装置を備えるようにすれば、ジネオラ菌などの雑菌の繁殖も抑制されるという効果が有る。
【００１２】
因みに、敷設される複数の皿枠内にラジウム鉱石の砂利又はラジウム鉱石を含有したセラミックボールを充填するようにし、これらを充填した皿枠は手で持ち上げることができる重量となるようにすれば、砂利又はセラミックボールと共に該皿枠を手に持ってそのまま取り出すことができ、温石浴装置本体内の清掃などのメンテナンスが簡単になるという効果がある。
【発明を実施するための最良の形態】
【００１３】
以下、本発明に係る温石浴装置の実施の形態を図面に基づき詳細に説明する。図１は本発明に係る温石浴装置の斜視図、図２は同分解斜視図、図３は同横断面図、図４は同縦断面図である。温石浴装置Ａは、温石浴装置本体Ａ１と液体循環機構Ａ２とからなる。温石浴装置本体Ａ１は、上面が開放した長方形状の台箱１とその上面に被さる蓋部材２からなる。
【００１４】
台箱１は金属板からなり入浴者が入って仰臥できる大きさを有し、その内部に所定の深さを有する貯水槽３が成形される。貯水槽３の底壁３ａ上面に、後記する皿枠７をその下面から支え長手方向に沿って左右２つずつ並設できるようにするための棚板４が格子状に配設されている。また、前記底壁３ａの一側に水抜きパイプ５が設けられ、該水抜きパイプ５に開閉自在の栓６が嵌着されている。これは、台箱１の貯水槽３内に貯留された貯留水を交換するためであり、このため貯水槽３の底壁３ａ上面は前記水抜きパイプ５に向かって下傾していることが好ましい。
【００１５】
棚板４の上面に、複数の皿枠７が左右に並んで配置される。これら皿枠７は、石類としての砂利８を充填して敷き詰めるためのものであり、ステンレス製であって浅く成形され、上面が開放すると共に通水性を持たせるためその底面に目の細かい金網７ａが張設されている。また、各皿枠７の対向する両内側縁に、持ち上げるときに手を掛けるため水平をなす取っ手板９，９が一体に突設されている。この皿枠７は、砂利８を充填した状態で手で持ち上げることができる重量となるようにその大きさが選ばれる。
【００１６】
前記砂利８は、天然ラジウム鉱石を粉砕したものであってほぼ親指大の大きさを有し、遠赤効果、ホルミス効果、痩身効果、リフレッシュ効果、更には指圧効果も得られるようにしている。なお、麦飯石、トルマリン石等の他の天然石を混入するようにしても良い。また、石類として他に、天然ラジウム鉱石から成形される所定の大きさの石板、天然ラジウム鉱石の粉末を含有するセラミックボール（大きさがほぼ親指大の球形をなす。）、天然ラジウム鉱石の粉末を含有する所定の大きさのセラミック板があるが、これらを使用しても、前記砂利８と同等の効果が得られる。
【００１７】
前記蓋部材２は、合成樹脂製であって半透明に成形され、蒲鉾状に湾曲した下蓋部材２ａとこの下蓋部材２ａの上側に重なる上蓋部材２ｂとからなる。これら上・下蓋部材２ａ，２ｂは台箱１上面の長手方向に沿って載置され、上蓋部材２ｂがその長手方向に沿ってスライドするようになっている。上・下蓋部材２ａ，２ｂの内面はいずれも鏡面処理が施されており、遠赤外線を反射させてその遠赤効果の効率を上げるようにしている。下蓋部材２ａは前端面が開放すると共に後端面が閉塞し、上蓋部材２ｂは両端面が開放している。上蓋部材２ｂの前面に該前面を塞ぐように半円形状の被せ布地１０が取着され、その中央下端部に顔を外に出すための切欠凹部１１が凹設されている。また、上蓋部材２ｂの前端周縁に該上蓋部材２ｂをスライド動作させるための取っ手１２が設けられている。これにより、前記温石浴装置本体Ａ１内（載せ石層１５より上方部位）が空洞状に成形され、しかも、温石浴装置本体Ａ１内をほぼ密閉状に塞ぐことができるようになる。また、下蓋部材２ａ内側の後部上方に、温石浴装置本体Ａ１内の空気や水を殺菌する殺菌装置１６が備えられている。例えば、殺菌灯、光触媒装置がある。
【００１８】
図示は省略するが、前記上・下蓋部材２ａ，２ｂを互いに重ならないようにして長手方向に並べると共に上・下蓋部材２ａ，２ｂの短手方向の一側下端縁を蝶番を介して台箱１の一側上面に連結し、上・下蓋部材２ａ，２ｂをそれぞれ短手方向へ開閉するようにしても良い。なお、上蓋部材２ｂの後端周縁に、該上蓋部材２ｂの後端と下蓋部材２ａの前端との間の隙間を塞ぎ中の水Ｗが漏れないようにするゴムパッキンを突設しておくことが望ましい。
【００１９】
一方、液体循環機構Ａ２は、台箱１の貯水槽３内に多重に屈曲して配置される密閉型の加熱手段としての放熱管１３と、該放熱管１３内を還流する液体の温度を制御する制御装置１４とからなる。放熱管１３は銅製であって熱の伝導性に優れている。放熱管１３の吐出側と吸引側が制御装置１４に接続される。制御装置１４内には、放熱管１３内を循環する液体（この場合、アルコール液）を加熱する加熱手段としてのヒータ１４ａ、液体を循環させるためのポンプ１４ｂ、前記液体の温度を調節する制御部（図示せず。）が配置されている。制御装置１４は、台箱１の外側であって側方に配置される。
【００２０】
そして、棚板４の上面に２個ずつ皿枠７を載置し、その上面に砂利８を敷き詰めて載せ石層１５を成形する。また、台箱１の貯水槽３に、載せ石層１５の途中高さ位置まで浸漬するようにして水Ｗを貯留する。この状態で、制御装置１４を作動させポンプ１４ｂで放熱管１３内の液体を循環させると共にヒータ１４ａにより加熱する。放熱管１３内の液体の温度は例えば６５度に設定される。また、図示は省略するが、温石浴装置本体Ａ１内と貯水槽３内とには、それぞれ制御部と電気的に接続される温度センサーが配置され、貯留水Ｗの温度が例えば４０度〜６０度の範囲内で所望の温度に設定できるようになっている。これにより、温石浴装置本体Ａ１内の温度が３５度〜５０度の範囲内で適宜選択できる。また、湿度は８０％以上に保持される。なお、温石浴装置本体Ａ１内の温度が５０度を越えた場合は、ポンプ１４ｂが停止するようになっている。
【００２１】
そこで、あらかじめ制御装置１４を操作して温石浴装置本体Ａ１内の温度を３５度〜５０度の間で所望の温度に設定する。このとき、湿度は８０％以上になる。そして、入浴者は、例えば裸になってバスローブをまとい、図４に示すように温石浴装置本体Ａ１内に入って載せ石層１５の上面に仰臥し、被せ布地１０の切欠凹部１１から顔を外へ出す。この際、載せ石層１５の上面にタオルを敷くようにしても良く、また、枕をかうようにしても良い。
【００２２】
この状態で、入浴者は、例えば、３０〜４０分の間そのままにしている。このように、温度は比較的低いが湿度は高いことから、長い時間に亘って身体が温められ汗腺からの発汗作用が促される。そして、これにより十分な痩身効果、リフレッシュ効果など健康増進に役立たせるに満足できる効果が得られる。更に、ラジウム鉱石を使用していることからラドンが発生して、皮膚の細胞が刺激され体内活性が図られ、疲労が回復しリラクゼーションが得られるばかりか、がん抑制作用・老化防止・糖尿病の発生抑制作用が得られるホルミス効果、更には、身体全体の指圧効果も得られる。
【００２３】
一人の温浴が済むと、温石浴装置本体Ａ１内の掃除をすることになるが、この場合は、蓋部材２を外すと共に取っ手板９，９に手を掛け、砂利８の充填された各皿枠７を引き上げるようにして外し、貯水槽３内を掃除する。このようにすれば、皿枠７と一緒に砂利８も取り外せるので、作業性がよく掃除などのメンテナンスが簡単に行なえる。また、その都度、温石浴装置本体Ａ１内の水は交換され、しかも、殺菌装置により温石浴装置本体Ａ１内の空気や水を殺菌するようにしているので、ジネオラ菌などの雑菌の発生が抑えられ、極めて衛生的である。
【００２４】
図５は、下蓋部材２ａの後端位置であって台箱１の上面に予備タンク４７を配置した温石浴装置Ａが示される。この予備タンク４７は、その上面に予備タンク４７の内部へ水を供給するための注入口４８が設けられ、下面には下端の放出口４９が貯水槽３内に臨む放出管５０が突設される。この予備タンク４７内の水は、予備タンク４７の側面に取着されたハンドル５１を操作することにより、放出管５０を介して貯水槽３に供給される。
【００２５】
正確には、貯水槽３内に貯留される温水により予備タンク４７内の水が温められ、この温水が貯水槽３内に供給されることになる。これは、例えば、貯水槽３内に貯留される温水が蒸発して減ってきたとき、または、貯水槽３内の温水を新しい温水と交換するとき、予備タンク４７内の温水を使用する。これにより、放熱管１３から発せられる熱エネルギーの有効利用が図られる。前記予備タンク４７の後側面には目盛りの付いた縦長の覗き窓５２が設けられ、外部からその内部に残っている温水の量が見られるようになっている。
【００２６】
また、例えば温石浴装置本体Ａ１内に入浴者が入って載せ石層１５の上面に仰臥し、温石浴を満喫していて、たまたま気持ち良いことから眠り込んでしまうと、湯中りを起こす危険性が有る。そこで、本発明にあっては、図示は省略するが、貯水槽３に自動開閉弁を備え、水道水又は冷水を供給する供給管とこれらを排出する排出管とを接続し、供給管から水を貯水槽３内に供給して貯水するようにする。そこで、古い温水を交換する場合は排出管から排出し、また、供給管から新しい水を供給するようにしておく。
【００２７】
そして、制御装置１４内にタイマーを内蔵すると共にこのタイマーにより前記自動開閉弁が開閉するように設定しておく。そこで、入浴者が載せ石層１５の上面に仰臥してから、所定時間（例えば、３５分〜４０分）経過すると、自動開閉弁が作動して供給管から冷たい水が供給され、温石浴装置本体Ａ１内の温度を強制的に下げるようにしている。
【００２８】
図６乃至図１０は他の実施の形態に係る温石浴装置を示すものである。前記温石浴装置Ａが仰臥するタイプであるのに対し、この温石浴装置Ｂは腰掛けるタイプである。図６は他の実施の形態に係る温石浴装置の斜視図、図７は同カバー部材を開いた状態の温石浴装置の斜視図、図８は同縦断面図である。
【００２９】
この温石浴装置Ｂも、温石浴装置本体Ｂ１と液体循環機構Ｂ２からなる。温石浴装置本体Ｂ１は、合成樹脂製であってカプセル状に成形され、内部が空洞状をなし入浴者が一人入れる程度の大きさを有する。また、温石浴装置本体Ｂ１は、前面が開放する基台２１と該基台２１の前側の下部に軸着され前後に回動して基台２１の前面を開閉するカバー部材２２とからなる。
【００３０】
基台２１は、その底部にステンレス製からなり上面が開放した貯水槽２３を備え、その上方に該上面を囲うようにして基台本体２４が配置される。貯水槽２３は、中央の水平な仕切板２５により上下に分離され、その下部にウレタンを充填した保温材層２６が成形され、その上部に水Ｗが貯留されるようになっている。また、貯水槽２３内に上面が開放されるステンレス製の大皿２７が配設され、該大皿２７の底壁２７ａ上面に、無数のパンチング孔を開設したスノコ２８が配置されると共にその上面に石類である砂利２９が敷設される。また、前記スノコ２８の上面に前側を向く椅子３０が配置され、この椅子３０に入浴者が座ることになる。基台本体２４内側の後部には、本実施の形態に係る温石浴装置本体Ａ１と同様に殺菌装置５３が備えられ、内部空気や水を殺菌するようにしている。
【００３１】
また、大皿２７の底壁２７ａの一側には、貯留される貯留水Ｗを交換するため栓３１を備えた水抜きパイプ３２が設けられている。この水抜きパイプ３２は、底壁２７ａから側方へ水平に延び、その先端部が貯留槽２３の外側まで達している。この場合も、前記大皿２７の底壁２７ａ上面は水抜きパイプ３２に向かって下傾していることが好ましい。
【００３２】
前記砂利２９は、前記と同様に天然ラジウム鉱石であってほぼ親指大の大きさを有し、遠赤外線効果、ホルミス効果、更には指圧効果も得られるようにしている。また、麦飯石、トルマリン石等の他の天然石を混入するようにしても良い。この場合も、他に石類として、天然ラジウム鉱石から成形される所定の大きさの石板、天然ラジウム鉱石の粉末を含有するセラミックボール（大きさがほぼ親指大の球形をなす。）、天然ラジウム鉱石の粉末を含有する所定の大きさのセラミック板を使用しても良い。これらを使用しても前記と同等の効果が得られる。
【００３３】
液体循環機構Ｂ２は、本実施の形態に使用した液体循環機構Ａ２と同じ構成からなる。この場合、放熱管３３は大皿２７の底壁２７ａとスノコ２８との間に配置され、制御装置３４は基台２１の外側であってその側方に配置される。また、図示は省略するが、制御装置３４内には、放熱管３３内の液体を加熱するヒータ、その液体を還流させるポンプ及び制御部がそれぞれ配置される。
【００３４】
前記椅子３０は、ステンレス製の角パイプを組付けてなり、後方へやや傾斜した背凭れ部３０ａ、ほぼ水平な座部３０ｂ、そして側面ハの字状に広がる脚部３０ｃからなる。背凭れ部３０ａ及び前側の脚部３０ｃの前面と座部３０ｂの上面に、それぞれ木製の角材からなる受け板３５が一定の間隔離し横向きに固着される。
【００３５】
一方、図９、図１０に示すように前記背凭れ部３０ａの後側に該背凭れ部３０ａと平行をなす背凭れ樋部３７が配置される。この背凭れ樋部３７は、背凭れ部３０ａとほぼ同じ横幅を有し、断面Ｌ型のチャンネル材を枠状に配置すると共に前面と下面を残してその外周側面をステンレス製の覆い板３６によって囲うことにより成形される。同様にして、座部３０ｂの下側に該座部３０ｂと平行をなす座部樋部３８が配置される。この座部樋部３８は、断面Ｌ型のチャンネル材を枠状に配置すると共に上面と前面を残してその外周側面をステンレス製の覆い板３６によって囲うことにより成形される。この場合、前記背凭れ樋部３７の下面が座部樋部３８の上面に臨んで連通している。
【００３６】
前側の脚部３０ｃの後側にも該脚部３０ｃと平行をなす脚部樋部３９が配置される。この脚部樋部３９は、断面Ｌ型のチャンネル材を枠状に配置すると共に前面と上面及び下面を残してその外周側面をステンレス製の覆い板３６によって囲うことにより成形される。この場合、座部樋部３８の前面が脚部樋部３９の上面に臨んで連通している。そして、前記背凭れ樋部３７、座部樋部３８及び脚部樋部３９内にそれぞれ横幅一杯にラジウム鉱石からなる石板４０が配置される。各石板４０の表面には、縦方向に平行をなす複数本の凹溝４１，４１…が等間隔に刻設されている。各石板４０はその表面が上側を向きかつ連なるようにして配置される。この場合、前記石板４０の替わりに、天然ラジウム鉱石の粉末を含有する同じ大きさのセラミック板を使用しても良い。
【００３７】
前記背凭れ樋部３７の上端壁に、その長手方向に沿って複数の供給口４２が開設され、各供給口４２に吐出管４３が接続される。各吐出管４３には供給パイプ４４が連接され、その下端がポンプ４５を介して大皿２７すなわち貯水槽２３内に臨んでいる。そこで、該ポンプ４５を駆動させることにより、貯水槽２３内の温められた貯留水Ｗが供給パイプ４４内に吸引され、上端の各吐出管４３から背凭れ樋部３７内に放出される。放出された温水Ｗは、複数の凹溝４１，４１…内を含め石板４０の表面を流れつつ流下して座部樋部３８内に放出される。座部樋部３８内に放出された温水Ｗは、同じく石板４０表面を流下しつつ脚部樋部３９内に放出され、同様にしてその石板４０の表面を流下して再び貯水槽２３内に戻る。このようにして、各石板４０を温めるようにしている。
【００３８】
そこで、スノコ２８の上面に砂利２９を敷き詰めて載せ石層４６を成形し、貯水槽２３に載せ石層４６の途中高さ位置まで浸漬するようにして水Ｗを貯留する。この状態で、まず制御装置３４を作動させ該制御装置３４内のポンプで放熱管３３内の液体を循環させると共にヒータにより加熱する。この場合も、放熱管３３内の液体の温度は例えば６５度に設定される。また、図示は省略するが、温石浴装置本体Ｂ１内と貯水槽２３内とにはそれぞれ制御部と電気的に接続される温度センサーが配置され、貯留水Ｗの温度が例えば４０度〜６０度の範囲内で所望の温度に設定できるようになっている。これにより、温石浴装置本体Ｂ１内の温度が３５度〜５０度の範囲内で適宜選択できる。湿度は８０％以上に保持される。また、他方のポンプ４５が作動して貯水槽２３内の温められた貯留水Ｗが、椅子３０の裏側に配置された各石板４０の表面を流下する。
【００３９】
入浴者はカバー部材２２を開けて温石浴装置本体Ｂ１内に入り、椅子３０に腰掛けると共に足を貯水槽２３内の載せ石層４６の上面に置く。そして、カバー部材２２を閉めた状態で、該カバー部材２２の上端縁に設けられた半円弧状の首出部２２ａから顔を出しておく。なお、温石浴装置本体Ｂ１内の温度が５０度を越えた場合は制御装置３４内のポンプが停止するようになっている。
【００４０】
このように、貯留水Ｗと砂利２９が温められると共に椅子３０の各石板４０も表面に沿って流れる温水Ｗにより温められ、温石浴装置本体Ｂ１内全体の温度、湿度が上昇した状態で、入浴者は温石浴装置本体Ｂ１内に所要時間の間入っていることになる。この場合も、温度は比較的低く湿度が高いことから、長い時間に亘り心地よい発汗作用が促される。そして、これにより十分な痩身効果、リフレッシュ効果など健康増進に役立たせるに満足できる効果が得られる。また、椅子３０全体の石板４０及び砂利２９にラジウム鉱石を使用していることから、遠赤効果、ホルミス効果、足の指圧効果が得られる。更に、この温石浴装置Ｂは、椅子３０を使用し入浴者がこれに腰掛けるようにしているので、装置全体がコンパクトになり、広い場所をとらない。更にまた、本実施の形態と同様に、一人の温浴が済むと、温石浴装置本体Ｂ１内の水が交換され、しかも、殺菌装置により温石浴装置本体Ｂ１内の空気や水を殺菌するようにしているので、ジネオラ菌などの雑菌の発生が抑えられ、極めて衛生的である。
【００４１】
前記他の実施の形態の場合、載せ石層４６だけを温水で温めても必要な温度、湿度が得られるが、前記のように椅子３０の裏面に石板４０を配置してそこに温水を流下させるようにすれば、温石浴装置本体Ｂ１内の温度や湿度が早く所定の値に達するばかりか、座っていても入浴者の身体全体が同時に温められ温熱効果の効率が良い。
【００４２】
両実施の形態の温石浴装置Ａ，Ｂにあっては、放熱管１３，３３内の液体を温めて貯留水Ｗを温めるようにしており、ヒータで直接温める方式ではないことから電磁波による悪影響を受ける心配がない。また、これらの場合、貯留槽３内の水をそのまま循環させると共に温石浴装置本体Ａ１，Ｂ１の外側で該循環する水を加熱するようにしても良い。
【図面の簡単な説明】
【００４３】
【図１】本発明に係る温石浴装置の斜視図。
【図２】同分解斜視図。
【図３】同横断面図。
【図４】同縦断面図。
【図５】同予備タンクを備えた温石浴装置の斜視図。
【図６】他の実施の形態に係る温石浴装置の斜視図。
【図７】同カバー部材を開いた状態の温石浴装置の斜視図。
【図８】同横断面図。
【図９】同背凭れ部上部部位の拡大側面断面図。
【図１０】図８のＸ−Ｘ線拡大断面図。
【符号の説明】
【００４４】
３                    貯水槽
８                    石類（砂利）
１３                  加熱手段（放熱管）
１４ａ                加熱手段（ヒータ）
１５                  載せ石層
Ａ                    温石浴装置
Ａ１                  温石浴装置本体
【図１】
2006122480.tif 000003
【図２】
2006122480.tif 000004
【図３】
2006122480.tif 000005
【図４】
2006122480.tif 000006
【図５】
2006122480.tif 000007
【図６】
2006122480.tif 000008
【図７】
2006122480.tif 000009
【図８】
2006122480.tif 000010
【図９】
2006122480.tif 000011
【図１０】
2006122480.tif 000012